(57)【特許請求の範囲】
【請求項１】
長いチャンネルを有するセラミック本体を含んで成るセラミック歯科矯正用ブラケットであって、前記チャンネルの中に施されており、且つアーチワイヤスロットを有しているライナーを含み、前記ライナーが前記セラミック本体のヌープ（ｋｎｏｏｐ）硬度より低いヌープ硬度を有する材料より成っており、前記ライナーが前記セラミック本体にろう付けされている、セラミック歯科矯正用ブラケット。
【請求項２】
セラミック歯科矯正用ブラケットを作る方法であって、長いチャンネルを有するセラミック歯科矯正用ブラケット本体を用意し、そしてこのチャンネルの中にアーチワイヤスロットライナーをその場で形成せしめる段階を含んで成り、ここでこのライナーがセラミック本体のヌープ硬度より低いヌープ硬度を有する材料より成っていることを特徴とする方法。
【発明の詳細な説明】
【０００１】
【産業上の利用分野】
本発明はブラケットであって、歯科矯正治療において利用され、且つこのブラケットに結合されているアーチワイヤ伝いのこのブラケットの滑り移動性を高めるためのアーチワイヤスロットライナーを有するブラケットに関する。
【０００２】
【従来の技術及び発明が解決しようとする課題】
歯科矯正処置において、ブラケットとして知られる小さな器具が患者の歯に固定される。各ブラケットのスロットの中にはアーチワイヤが受容され、そしてこれはワイヤを結紮することにより、又は各ブラケット及びワイヤのまわりにかぶさる小さな弾性Ｏ−リングによってスロットの中にその場で固定されている。このブラケットに接続している歯はこのアーチワイヤに施されている屈曲もしくはひねりによって、又は一定のブラケットを相互連結させる弾性モジュールによって歯科矯正学的に正しい位置へと圧迫される。このアーチワイヤはブラケットの滑り移動をガイドするトラックとして働き、従って関連の歯は所望の位置へとシフトする。
【０００３】
過去において、歯科矯正用ブラケットは通常ステンレススチールより成り、そしてアーチワイヤはステンレススチールか、又はステンレススチール、ニッケル及びチタンを含む合金より成っていた。一般に金属製ブラケットの滑り移動の摩擦抵抗は顕著ではないが、ほとんどの歯科矯正医にとって物足りないと考えられるようなファクターではなかった。しかしながら、金属製ブラケットは美的でなく、そして時折り「チン  グリン（ブリキの微笑）」と称されて患者により嫌がられている。
【０００４】
不透明でないプラスチック材料、例えばポリカーボネートより成る歯科矯正用ブラケットがここ数年の間に様々な製造者により導入されてきた。残念ながら、一部のプラスチックブラケットはアーチワイヤスロットの必要以上の変形を示し、その理由はワイヤによりブラケットに歯科矯正力がかけられる際のこの材料のクリープにある。アーチワイヤスロットの必要以上の変形は関連の歯の移動の正確な制御を妨げることがあり、そしてある場合にはブラケットを壊してしまうことがある。歯科矯正処置の際のブラケットの変換は時間がかかり、そして通常、歯科矯正医及び患者によりめんどうであると考えられている。
【０００５】
過去において、プラスチック材料の変形を回避する試みの一部として、プラスチックブラケットに金属製アーチワイヤスロットライナーを施すことが提案された。アーチワイヤスロットライナーの例は米国特許第３，９６４，１６５号、第４，２９９，５６９号及び第４，３０２，５３２号に記載されている。プラスチックブラケットのための金属製アーチワイヤスロットライナーは、全金属製ブラケットを利用したときに観察されるであろう滑り機構を擬態する滑り機構を担う。
【０００６】
歯科矯正用ブラケットは、本発明の譲受人に譲渡されている米国特許第４，９５４，０８０号に記載されているような半透明セラミック材料、例えば多結晶酸化アルミニウムより成ってもいる。セラミックはプラスチックに比べて比較的硬質な材料であり、そしてアーチワイヤの力がかけられたときにアーチワイヤに隣接する領域においてクリープ変形を示さない。しかしながら、アーチワイヤによる過度の力の適用はおそらくは比較的高い応力集中の局在領域の理由により、ブラケットを壊してしまうことがある。
【０００７】
セラミックブラケットのスロットの中での金属製アーチワイヤの滑り機構は金属製ブラケットのスロットの中での金属製ワイヤの滑り機構ほど満足たるものではないことも認められている。ある実験において、ステンレススチールアーチワイヤの走査電子顕微鏡写真は、そのアーチワイヤがセラミックブラケットのスロット伝いの移動の後に深いひっかき傷を有していること示しており、このことは、セラミック材料がアーチワイヤをすりへらし、そして滑り移動に対するかなり機械的拘束を供していることを示唆している。残念ながら、セラミックブラケットのアーチワイヤ伝いの滑り移動に対する過度の抵抗は処置時間を延ばし、それ故歯科矯正医及び患者に余計な労力をもたらすことがある。
【０００８】
米国特許第３，５０４，４３８号はステンレススチール又はクロム合金より成り、且つブラケットの滑り移動に比較的に低い摩擦係数を供するポリマー材料、例えばポリテトラフルオロエチレンでコートされた歯科矯正用ブラケットを提唱している。米国特許第５，２０３，８０４号（これは本発明の譲受人に譲受されている）は、金属製歯科矯正用アーチワイヤ又は金属製もしくはセラミック製歯科矯正用ブラケット上での硬質カーボンコーティング、例えばダイヤモンド様コーティングの利用を述べている。
【０００９】
【課題を解決するための手段】
本発明は長いチャンネルを有するセラミック本体を含んで成るセラミック歯科矯正用ブラケットに向けられている。このブラケットはチャンネルの中に施されており、且つアーチワイヤスロットを有しているライナーを含む。このライナーはセラミック本体のヌープ硬度より低いヌープ硬度を有する材料より成る。このライナーはセラミック本体にろう付け（ｂｒａｚｅｄ）されている。
【００１０】
本発明はまた、セラミック歯科矯正用ブラケットを作る方法であって長いチャンネルを有するセラミック歯科矯正用ブラケット本体を用意し、そしてそのチャンネルの中にアーチワイヤスロットライナーをその場で形成せしめる段階を含んで成る方法に向けられ、ここでそのライナーはセラミック本体のヌープ硬度より低いヌープ硬度を有する材料より作られている。
【００１１】
本発明の一態様にかかわる歯科矯正用ブラケット２０を図２に示す。このブラケット２０は長いチャンネル２４を有するセラミックブラケット本体２２を含む。ライナー２６がこのチャンネル２４の中に、合わせ状態においてぴったりと施されており、そして図１においてそれを単独で示している。
【００１２】
ブラケット本体２２は、患者の歯に直接このブラケット２０を装着させるための複合輪郭（ｃｏｍｐｏｕｎｄ  ｃｏｎｔｏｕｒ）を有するベース２８を有している。本体２２の唇側面は一組の間隔の置かれた咬合タイウィング（ｏｃｃｌｕｓａｌ  ｔｉｅｗｉｎｇ）３０、並びに中心及び末梢ノッチを有する歯茎側フック３２を含んでいる。本体２２のチャンネル２４は、本体２２の中央の中心−末梢軸伝いに、中心側面３４から対立末梢側面３５に至るまで広がっている。一組の対立した面取り壁セクション３６が本体２２の唇側面とチャンネル２４との間に位置して、ライナー２６の中へのアーチワイヤの挿入を助長せしめている。
【００１３】
ライナー２６は底壁３８、咬合壁４０及び歯茎側壁４２を有する中央領域を含んでいる。咬合壁４０及び歯茎側壁４２は互いに平行となっており、そして底壁３８に対して垂直方向に広がっている。壁３８，４０，４２は、縦横断対照面においてＵ字形態を有するアーチワイヤスロット４３を供している。このアーチワイヤスロット４３のＵ字形態は同じような断面寸法を有している長方形アーチワイヤの断面形状と一致し、それ故沿層治療（ｅｄｇｅｗｉｓｅ  ｔｈｅｒａｐｙ）として知られている技術にかかわる歯科矯正処置のために締り嵌め関係においてアーチワイヤを相補的に受容するようになっている。
【００１４】
ライナー２６は、中心側面３４及び末梢側面３５のそれぞれを超えて広がる中心末端領域４４及び末梢末端領域４６を含む。これらの末端領域４４，４６は共に、咬合方向において広がる咬合セクション４８、歯茎側方向において広がる歯茎側セクション５０、及び舌側方向において広がる乱側セクション５２を含む。これらのセクション４８，５０，５２は対応の下にある側面３４，３５に平行（且つ平らに接する）方向において広がる。図１〜２に示すブラケット２０において、中心及び末梢側面３４，３５はアーチワイヤスロット４３の縦軸に対して垂直となっている。それ故、ライナー末端領域４４，４６の折り重なりセクション４８，５０，５２は、アーチワイヤスロット４３の縦軸に対して実質的に垂直である対応の共通対照面において広がっている。しかしながら、中心及び末梢側面がアーチワイヤスロットの縦軸に対して９０°以外の角度において広がっている本発明にかかわるブラケットを構築することも可能であり、この場合、ライナーの折り重なり末端領域は実質的に同じ９０°でない角度において広がるであろう。
【００１５】
ライナー２６は厚さ０．００２インチ（０．０５ｍｍ）のＮｏ．  ３０１ステンレススチールのシートより成るが、金、チタン又はパラジウムホイルシートも利用できうる。任意的に、ライナー２６は低摩擦コーティング、例えば米国特許第５，２０３，８０４号（その開示内容は引用することで本明細書に組入れる）に記載されているようなダイヤモンド様コーティングでコートされている。
【００１６】
ライナー２６はチャンネル２４の中に、ろう付処理の利用によりその場に固定されている。適当なろう付充填剤にはモリブデン−マンガンペースト、プラチナ、銀又は活性金属、例えばチタン又はジルコニウムが含まれる。好適には、セクション４８，５０，５２は中心側面３４及び末梢側面３５と連結しており、チャンネル２４の中でのライナー２６の保持を助長している。
【００１７】
ブラケット本体２２は多結晶アルミナより成り、そして歯の色が本体２２を通じて反映されることが可能となる十分な光透過性を有しており、これにより本体２２はその下にある歯の色を帯びるようになる。本体２２にとって適当なセラミック材料は、その開示内容を引用することで本明細書に組入れる米国特許第４，９５４，０８０号に記載されている。使用の際、ほとんどのライナー２６はアーチワイヤの後方に位置しており、従ってブラケット本体２２の美観を顕著に損うことがない。
【００１８】
本体２２の多結晶アルミナ材料は比較的硬質でもろく、そして１，２００ｋｇ／ｍｍ２  以上のヌープ（ｋｎｏｏｐ）硬度を一般に有している。好都合には、ライナー２６の材料はブラケット本体２２の材料に比して比較的軟く、そして本体２２のヌープ硬度より低いヌープ硬度を有している。より詳しくは、このライナー２６は５０〜１，０００ｋｇ／ｍｍ２  の範囲、そしてより好ましくは１００〜５００ｋｇ／ｍｍ２  の範囲におけるヌープ硬度を有している。ライナー２６のヌープ硬度は、アーチワイヤのすりへり又は研磨摩耗の傾向を下げるためにアーチワイヤのヌープ硬度に近くなっている。このライナー２６は本体２２上のアーチワイヤにより及ぼされることのある比較的高い応力集中局在領域を消散することも担い、これにより使用の際での本体２２が壊れる傾向が下げられている。
【００１９】
一例において、活性化金属ろう付材（Ｌｕｃａｎｅｘ７２１，Ｌｕｃａｓ−Ｍｉｌｈａｕｐｔ，Ｉｎｃ．）を多結晶アルミナブラケット本体のチャンネルの中に分注し、次いで０．００２インチ（０．０５ｍｍ）の厚みを有する金属製アーチワイヤスロットライナーをチャンネルの中に挿入した。余計なろう付材をぬぐい取り、そして所望の寸法のアーチワイヤスロットと同じ断面寸法を有する長方形マンドレルをアーチワイヤスロット形状を保持するうえでの補助のためにライナーの中に挿入した。ブラケット本体、ライナー及びマンドレルの集成体を次に炉の中に入れ、そしてアルゴン雰囲気の中で８５０℃に熱してセラミック本体にライナーをろう付けし、次いで冷やした。別の例において、類似のブラケット本体、ライナー及びろう付材を真空のもとでの８５０℃の炉の中に５分間入れておいた。
【００２０】
好ましくは、ライナー２６はそれを本体２２に固定すると、ブラケット本体２２を圧縮力下に付する。この場合、比較的もろいセラミック本体はライナー２６によって事前圧迫（ｐｒｅｓｔｒｅｓｓｅｄ）を受けており、そしてブラケット２０は使用の際に他で認められうるよりも優れたトルク強度を示す（即ち、アーチワイヤがその長軸を中心にひねられたときに、優れた耐破損性を示す）。ブラケット本体に事前圧迫をかけることは、ライナー２６をブラケット本体２２にろう付けせしめる際にブラケット２２及びライナー２６を熱する際に実施されうる。冷却により、ブラケット２２に比してのライナー２６の多大な熱収縮性は、ライナー２６がその後に装着本体２２を圧縮下に維持せしめることを可能とする。熱収縮の相違は、ライナー２６の膨張率がブラケット本体２２のそれより高いことに原因する。
【００２１】
本発明の別の態様を図３及び４に示し、そしてそれは図２に示す本体２２と若干類似する本体１２２を有するブラケット１２０（図３）を含むが、ただし本体１２２はフック３２の代りに一組の間隔の置かれた歯茎側タイウィング１３１を有している。更に、ブラケット１２０のライナー１２６は末端領域１４４，１４６を有し、それらは図１及び２に関して説明した末端領域４４，４６とは若干異なっている。
【００２２】
より詳しくは、各末端領域１４４，１４６の舌側セクション１５２（図３〜４）はブラケット本体１２２の中心側面１３４及び末端側面１３５それぞれにわたって、アーチワイヤスロット１４３の縦軸に対して０ではない角度においての方向で平らに広がっている。しかしながら、末端領域１４４，１４６はそれぞれ咬合セクション１４８及び歯茎側セクション１５０であって、互いに平行に広がり、且つライナー１２６の中央領域の咬合壁１４０（図４）及び歯茎側壁１４２（図３）それぞれと同一平面関係にある対応の中心側面１３４及び末梢側面１３５を若干（例えば約０．００１〜０．００５インチ）超えて突き出ているものを有している。平行セクション１４８，１５０はスロット１４３の中に施されているアーチワイヤとのセラミック本体２２の接触の傾向を下げる。
【００２３】
図４はライナー１２６単独の例示である。ライナー１２６は主として平らなシートより成り、それには咬合壁１４０と歯茎側壁１４２とを底壁１３８に対して折り曲げて横断面において実質的長方形なＵ字形状を形成せしめることを助長するノッチ１５４が施されている。
【００２４】
図５に示している本発明の態様は本体１２２に類似する本体２２２、及び本体２２２のチャンネルの中に施されているライナー２２６を有するブラケット２２０を考慮している。このライナー２２６は本質的にライナー１２６と同一であるが、ただし外側に向って広がる末端領域２４４、２４６の乱側セクション２５２はライナー２２６の底壁２３８と同一平面となっている。
【００２５】
図６に示すブラケット３２０は本体１２２，２２２と類似する本体３２２を含んでいる。しかしながら、ブラケット３２０は中心ライナー３２５及び末梢ライナー３２７を含んで成るライナー集成体を含んでいる。このライナー集成体は図１及び２に示しているライナー２６と本質的に同一であるが、ただしライナー２６の中央領域のセクションが除去されており、その結果、中心ライナー３２５は末梢ライナー３２７から隔離されている。
【００２６】
図７は、図２に示すブラケットの拡大側面断面図である。ライナー２６の底壁３８、咬合壁４０及び歯茎側壁４２はチャンネル２４の境界内で滑り嵌めされるサイズとなっており、そして更にアーチワイヤスロット４３は０．０１８×０．０２５インチの断面寸法を有する長方形アーチワイヤ４７を相補的に受容することを確実にするようなサイズにもなっている。
【００２７】
図８は図７と若干似たような図であり、図８において示しているブラケット２０ａのチャンネル２４の寸法は図７に示しているチャンネル２４の寸法と同じとなっている。更に、底壁３８ａ、咬合壁４０ａ及び歯茎側壁４２ａを有するライナー２６ａの外面はチャンネル２４の境界内に滑り嵌めされるサイズとなっている。しかしながら、ライナー２６ａの壁３８ａ，４０ａ及び４２ａは図７に示すライナー２６の壁３８，４０，４２とは若干異なる厚みとなっており、そしてアーチワイヤ４３ａが横断面領域において、図７に示すアーチワイヤ４３の横断面領域に比して大きくなるのに十分な厚みとなっている。アーチワイヤスロット４３ａは０．０２２×０．０２８インチの横断面寸法を有する長方形アーチワイヤ４７ａを相補的に受容するサイズとなっている。
【００２８】
好都合には、そして図７及び８を参照することにより理解できる通り、様々な厚みの壁を有するライナー２６、２６ａの利用は、同一のブラケット本体を利用してブラケット２０，２０ａを作成することを可能にする。これらのライナー２６，２６ａはチャンネルの寸法を変える必要性抜きで、現在一般的に使用されている２種類のサイズの長方形アーチワイヤのいづれかをこの本体がぴったりと受容することを可能にしている。この場合、ブラケット２０，２０ａの両者のチャンネル２４はダイヤモンドホイール機械加工処理によってカットされうるか、又は射出成形処理によって成形されることができ、そして例示のブラケット２０，２０ａのいづれをも変える必要がない。その代り、ライナー２６，２６ａの寸法はアーチワイヤの異なる寸法を補うように選ばれる。かかる構築体は、目録のために必須なセラミックブラケット本体のいろいろな番号の数を少なくするうえで有用であることがあり、又は他に、処置を進める際に、歯からブラケット本体２２を取外ずさずに、様々なサイズのアーチワイヤを合わせるためにライナーを別のものに交換することを所望する歯科矯正医にとって有用でありうる。
【００２９】
図９に関して、ブラケット４２０は本体１２２と本質的に類似する本体４２２、及び本体４２２のチャンネル４２４の中に施されているライナー４２６を含む。ライナー４２６は図３及び４に示しているライナー１２６と実質的に類似するが、ただしライナー４２６は、ブラケット４２０の中央の咬合−歯茎側対照軸の一側面に位置している頬−唇側に広がる突起又はディンプル４５６を有している。
【００３０】
ライナー４２６のディンプル４５６は、ライナー４２６のアーチワイヤスロットの中に収められた長方形アーチワイヤ４５８と接触しており、そしてアーチワイヤ４５８がチャンネル４２４の底壁４３７から２〜５°の範囲で傾いた角度において広がることを及ぼす。アーチワイヤ４５８の傾きはそれが、歯の長軸を中心にブラケット４２０に付けられた歯を回転せしめるうえで補助する。アーチワイヤ４５８の咬合及び歯茎側面はライナー４２６の咬合及び歯茎側内面と平らに接触して、アーチワイヤ４５８が、沿層療法として知られる処置に従ってブラケット４２０及びそれの装着された歯に、所望する場合に、傾斜又はトルク力を授けることを可能とする。
【００３１】
図１０に示している本発明の態様は本体４２２と本質的に同一な本体５２２を有するブラケット５２０を考慮している。しかしながら、ライナー５２６はライナー４２６とは、ブラケット本体５２２の中心側面５３４の近くの底壁５３８のセクションがそれ自体に折り重ねられている点で、若干異なっている。図１０に示しているライナー５２６の折り重ねセクションは、図９に示しているディンプル４５６と、両者の特徴が、底壁４３８，５３８それぞれの内底面４６０，５６０がアーチワイヤスロット４４３、５４３の長さ伝いに変動する距離で底部のチャンネル壁４３７，５３７と離れていることを可能とするための手段を担っている限りでは、本質的に類似に機能する。
【００３２】
図１１に示しているブラケット６２０は図３に示している本体１２２と若干類似の本体６２２を有している。本体６２２のチャンネル６２４は、間隔を置いて隔てられている平行な咬合及び歯茎側壁、並びにその咬合及び歯茎側壁に対して垂直な底壁を有する、横断面において長方形のＵ字形状を有する。
【００３３】
ブラケット６２０のライナー６２６は沿層療法として知られる歯科矯正処置手順において利用するための、平行な咬合及び歯茎側壁６４０，６４２を有する中央沿層アーチワイヤスロットセクション６６２を含んでいる。しかしながら、ライナー６２６は咬合及び歯茎側アーチワイヤレリーフを供する中心及び末梢アーチワイヤスロットレリーフセクション６６４ａ，６６４ｂも含む。このレリーフセクション６６４ａ，６６４ｂは中央沿層アーチワイヤスロットセクション６６２ｂの中心及び末梢側面それぞれに位置している。
【００３４】
図１１に示しているライナー６２６の形状は有利にはブラケット間距離を広げ、そして米国特許第４，５３１，９１１号に記載されているようなその他の利点を供する。しかしながら、チャンネル６２４が本質的に線状且つ平行な壁を有する限り、ブラケット本体６２２のチャンネル６２４は容易に機械加工又は成形に付されることができ、一方で、例えば金属射出成形加工又は金属成形操作により作られた金属ライナー６２６の中により複雑な形状の沿層セクション６６２及びアーチワイヤレリーフセクション６６４が施される。
【００３５】
ライナー６２６はろう付材６２７によってその場に固定されている。好都合には、ろう付材６２７は沿層アーチワイヤスロットセクション６６２とブラケット本体６２２との間に設けられている空間に施されており、従ってブラケット本体６２２の追加材料はろう付材６２７の厚みに適応するように除去される必要はない。しかしながら他方、ろう付材６２７はブラケット本体６２２の中心側面から末梢側面に広がっていてよい。別の態様として、ライナー６２６及びろう付材６２７は平行壁６４０，６４２の縦方向に沿ってのみ広がっていてよく、そして中心及び末梢アーチワイヤスロットレリーフセクション６６４ａ，６６４ｂへと実質的に広がっていない。
【００３６】
図１２は図２に示すブラケット２０と、アーチワイヤスロット４３の中に施されているグラファイト固定コア６６との前立面図である。グラファイト固定コア６６はチャンネル２４の中にその場でしっかりと保持されており、なぜならブラケット２０はライナー２６を本体２２にろう付けするためにオーブンの中に入れられてあるからである。
【００３７】
図１３は金属射出成形加工によりその場で作られたライナー７２６を有するブラケット７２０の例示である。セラミックブラケット７２０をモルド集成具７２３の中に入れ、そして溶融金属粉末をモルド集成具７２３の中のチャンネル７２５を通じて加圧のもとで注入してライナー７２６を形成せしめている。
【００３８】
ライナーを作るためのその他の現場加工はコロイド状金属塗料（例えばＰｅｋｏ  Ｃｏｌｌｏｉｄａｌ  Ｓｉｖｅｒ；Ｔｅｄ  Ｐｅｌｌａ，Ｉｎｃ．，Ｒｅｄｄｉｎｇ，ＣＡ）、改善接着力のためにガラスを含むコロイド状金属塗料（例えばＨｅｒａｅｕｓ銀金属化ペーストＮｏ．Ｃ１２１４Ｂ，Ｈｅｒａｅｕｓ，Ｉｎｃ．）、活性金属ろう付材（例えばチタン、ジルコニア又はＬｕｃａｎｅｘ７２１，Ｌｕｃａｓ−Ｍｉｌｈａｕｐｔ，Ｉｎｃ．）、モリブデン−マンガンろう付材、無電気めっき処理（めっき材として例えばニッケルを用い、続いて任意的にニッケル、銅、金又はその他の材料を用いる常用の電気めっきを施す）、又は蒸着（例えば熱蒸発、スパッタリング、イオン線蒸着又は化学蒸着）の利用を含む。好ましくは、選ばれた現場加工はセラミック本体を前進したように事前圧迫せしめる。
【００３９】
塗料又はペーストは、アーチワイヤを塗料又はペーストの中に浸し、次いでそのアーチワイヤをブラケット本体のチャンネル伝いに動かすことによってブラケットに塗布されることができる。ライナーのアーチワイヤスロットはライナーを形成せしめた後に、仕上げアーチワイヤスロットが適度な断面寸法を有することを確実とするように機械加工に付されてよいが、しかしながらアーチワイヤスロットは現場加工の終了によって所望の寸法を有し、従ってその後の機械加工の必要性が回避されることが好ましい。
【図面の簡単な説明】
【図１】本発明の一態様にかかわる歯科矯正用ブラケットのためのライナーの透視図。
【図２】図１に示すライナーを有するブラケットの透視図。
【図３】本発明の別の態様に従って構築したブラケットを示す透視図。
【図４】図３に示すライナー単独の拡大立面図。
【図５】本発明の別の態様に従って構築したブラケットの透視図。
【図６】本発明の別の態様にかかわるブラケットの透視図。
【図７】一定の断面寸法を有するアーチワイヤスロットを有する、チャンネル及びチャンネル中のライナーを有しているブラケット本体を含む、本発明の歯科矯正用ブラケットの拡大側面図。
【図８】図７に示しているブラケット本体のチャンネルと同一の寸法を有するチャンネルを有するが、異なるサイズのアーチワイヤを受容するように若干異なる断面寸法を有する、チャンネル中に受容されているライナーを有するブラケット本体の拡大側面図。
【図９】ブラケットのアーチワイヤスロットの中に受容されているアーチワイヤを伴う、本発明の別の態様に従って作られた歯科矯正用ブラケットの部分拡大断面図。
【図１０】本発明の別の態様に従って構築した図９と若干類似する図。
【図１１】本発明の別の態様にかかわる、中心及び末梢アーチワイヤスロットレリーフセクションを供し、且つ両面接着テープによりその場に保持されているライナーを有するブラケットの前面図。
【図１２】図２に示すブラケットと、ブラケット本体にライナーを固定するためにろう付け操作中のブラケットライナーのアーチワイヤスロットの中に置かれているグラファイト固定コアとの前面図。
【図１３】ライナーを作るための金属射出成形加工の際のモルド集成具の中に受容されているブラケット本体を示す、本発明の別の態様にかかわるブラケットの拡大断面図。
【符号の説明】
２０，２０ａ，１２０，２２０，３２０，４２０，５２０，６２０，７２０…ブラケット
２２，１２２，２２２，３２２，４２２，５２２，６２２…ブラケット本体
２４，４２４，６２４…チャンネル
２６，２６ａ，１２６，２２６，４２６，５２６，６２６，７２６…ライナー
２８…ベース
３０…咬合タイウィング
３２…歯茎側フック
３４，１３４，５３４…中心側面
３５，１３５…末梢側面
３６…面取り壁セクション
３８，３８ａ，１３８，２３８，４３８，５３８…底壁
４０，４０ａ，１４０，２４０，６４０…咬合壁
４２，４２ａ，１４２，６４２…歯茎側壁
４３，４３ａ，１４３，４４３，５４３…アーチワイヤスロット
４４，１４４，２４４…中心末端領域
４６，１４６，２４６…末梢末端領域
４７，４７ａ…長方形アーチワイヤ
４８，１４８…咬合セクション
５０，１５０…歯茎側セクション
５２，１５２，２５２…舌側セクション
６６…グラファイト固定コア
１３１…歯茎側タイウィング
１５４…ノッチ
３２５…中心ライナー
３２７…末梢ライナー
４３７，５３７…チャンネル壁
４５６…ディンプル
４５８…長方形アーチワイヤ
４６０，５６０…底部舌側面
６２７…ろう付材
６４０，６４２…平行壁
６６２…中央沿層アーチワイヤスロットセクション
６６４ａ…中心アーチワイヤスロットレリーフセクション
６６４ｂ…末梢アーチワイヤスロットレリーフセクション
７２３…モルド集成具
７２５…チャンネル
【図１】
0003588140.tif 000002
【図２】
0003588140.tif 000003
【図３】
0003588140.tif 000004
【図４】
0003588140.tif 000005
【図５】
0003588140.tif 000006
【図６】
0003588140.tif 000007
【図７】
0003588140.tif 000008
【図８】
0003588140.tif 000009
【図９】
0003588140.tif 000010
【図１０】
0003588140.tif 000011
【図１１】
0003588140.tif 000012
【図１２】
0003588140.tif 000013
【図１３】
0003588140.tif 000014